(57)【特許請求の範囲】
【請求項１】
多数枚の扉単体(11a) 〜(11f) を交互に折り畳み自在にヒンジ(12a) 〜(12e) 結合した伸縮扉本体(10)を、その吊り元側端及び戸当たり側端と吊り元側から偶数番目のヒンジ(12b)(12d)とに設けられ且つ主ガイドレール(5) に沿って走行する走行手段(13a)(13b)(13d)(13f)を介して懸架し、折り畳み時に各扉単体(11a) 〜(11f) を吊り元側に移動させて吊り元側から順次所定の小範囲(M) 内で折り畳み、伸長時に小範囲(M) 内で各扉単体(11a) 〜(11f) を戸当たり側から順次伸長させるようにした折り畳み式伸縮扉において、吊り元側から奇数番目の各扉単体(11a)(11c)(11e) 上の吊り元側に第１ガイドローラ(16a)(16c)(16e) を、吊り元側から奇数番目の各ヒンジ(12a)(12c)(12e) 又はその近傍に第３ガイドローラ(17a)(17c)(17e) を夫々設け、主ガイドレール(5) の側部に、伸長時に折り畳み状態の吊り元側から第１番目の扉単体(11a) の第１ガイドローラ(16a) の戸当たり側への移動を規制する第１ガイド部材(18)と、伸長時に小範囲(M) 内で吊り元側から第２番目以外の偶数番目の扉単体(11d)(11f)を伸長方向に案内可能な第２ガイドローラ(22)と、該第２ガイドローラ(22)に扉単体(11d)(11f)が案内されるときに、該扉単体(11d)(11f)よりも吊り元側に隣接する奇数番目の扉単体(11c)(11e)の第１ガイドローラ(16c)(16e)の戸当たり側への移動を規制する第２ガイド部材(19)と、伸長状態の各扉単体(11a)(11c)(11e) が屈曲しないように、吊り元側から第１番目の第３ガイドローラ(17a) を案内する側部ガイドレール(6) 及び吊り元側から第１番目以外の第３ガイドローラ(17c)(17e)を案内する側部ガイドレール(8) と、折り畳み時に前者側部ガイドレール(6) 内の第３ガイドローラ(17a) を蹴り出す蹴り出しガイド部(49)と、伸長時に吊り元側から第１番目の第３ガイドローラ(17a) を前者側部ガイドレール(6) 内に蹴り込む蹴り込みガイド部(50)と、折り畳み時に後者側部ガイドレール(8) 内の第３ガイドローラ(17c)(17e)を蹴り出す第４ガイド部材(21)とを設け、前者側部ガイドレール(6) 、蹴り出しガイド部(49)及び蹴り込みガイド部(50)を第２ガイドローラ(22)と第２ガイド部材(19)との間に配置したことを特徴とする折り畳み式伸縮扉。
【発明の詳細な説明】
【０００１】
【発明の属する技術分野】
本発明は、建物、車庫の出入口等に設置される折り畳み式伸縮扉に関するものである。
【０００２】
【従来の技術】
建物、車庫の出入口等に設置する折り畳み式伸縮扉には、従来、実公平８−５２７９号公報に記載されるように、多数枚の扉単体を交互に折り畳み自在にヒンジ結合して伸縮扉本体を構成し、この伸縮扉本体を主ガイドレールに沿って走行する走行手段を介して懸架し、伸縮扉本体を吊り元側に移動させたときに、各扉単体を吊り元側から順次所定の小範囲内に折り畳む折り畳み手段と、前記小範囲以外での各扉単体の折曲を規制する折曲規制手段と、伸縮扉本体を戸当たり側に移動させたときに各扉単体を戸当たり側から順次伸長させる伸長案内手段とを備えものがある。
【０００３】
【発明が解決しようとする課題】
この折り畳み式伸縮扉は、奇数番目の扉単体上の戸当たり側にガイドローラを設け、このガイドローラを案内する側部ガイドレールを主ガイドレールに沿って設ける一方、前記小範囲において側部ガイドレールの吊り元側を側方に大きく湾曲させて、主ガイドレールから敷地内側に大きく張り出す張り出しガイド部を設け、伸縮扉本体を伸長して出入口を閉鎖するときに、この張り出しガイド部に沿ってガイドローラを側部ガイドレール側に案内するようにしている。
従って、従来の折り畳み式伸縮扉では、この張り出しガイド部が不可欠であり、そのために全体の構造が大型化すると共に、この張り出しガイド部があるために外観が著しく損なわれ、伸縮扉全体の見栄えが非常に悪くなる欠点がある。
【０００４】
しかも、張り出しガイド部は、側部ガイドレールの一端側から敷地内側に大きく張り出しており、その張り出し端側の支持が困難であるため、長期の使用により垂れ下がり易くなる上に、他の物が接触する等によって張り出しガイド部に衝撃が加われば簡単に変形する恐れがあり、その結果、伸縮扉本体の開閉操作が困難になる等の問題もある。
本発明は、このような従来の課題に鑑み、全体を小型化できると共に、伸縮扉本体を長期に亘って円滑に開閉操作でき、しかも小型化により見栄えを良好にできる折り畳み式伸縮扉を提供することを目的とする。
【０００５】
【課題を解決するための手段】
本発明は、多数枚の扉単体11a 〜11f を交互に折り畳み自在にヒンジ12a 〜12e 結合した伸縮扉本体10を、その吊り元側端及び戸当たり側端と中間の吊り元側から偶数番目のヒンジ12b,12d とに設けられ且つ主ガイドレール5 に沿って走行する走行手段13a,13b,13d,13f を介して懸架し、折り畳み時に各扉単体11a 〜11f を吊り元側に移動させて吊り元側から順次所定の小範囲M 内で折り畳み、伸長時に小範囲M 内で各扉単体11a 〜11f を戸当たり側から順次伸長させるようにした折り畳み式伸縮扉において、吊り元側から奇数番目の各扉単体11a,11c,11e 上の吊り元側に第１ガイドローラ16a,16c,16e を、吊り元側から奇数番目の各ヒンジ12a,12c,12e 又はその近傍に第３ガイドローラ17a,17c,17e を夫々設け、主ガイドレール5 の側部に、伸長時に折り畳み状態の吊り元側から第１番目の扉単体11a の第１ガイドローラ16a の戸当たり側への移動を規制する第１ガイド部材18と、伸長時に小範囲M 内で吊り元側から第２番目以外の偶数番目の扉単体11d,11f を伸長方向に案内可能な第２ガイドローラ22と、該第２ガイドローラ22に扉単体11d,11f が案内されるときに、該扉単体11d,11f よりも吊り元側に隣接する奇数番目の扉単体11c,11e の第１ガイドローラ16c,16e の戸当たり側への移動を規制する第２ガイド部材19と、伸長状態の各扉単体11a,11c,11e が屈曲しないように、吊り元側から第１番目の第３ガイドローラ17a を案内する側部ガイドレール6 及び吊り元側から第１番目以外の第３ガイドローラ17c,17e を案内する側部ガイドレール8 と、折り畳み時に前者側部ガイドレール6 内の第３ガイドローラ17a を蹴り出す蹴り出しガイド部49と、伸長時に吊り元側から第１番目の第３ガイドローラ17a を前者側部ガイドレール6 内に蹴り込む蹴り込みガイド部50と、折り畳み時に後者側部ガイドレール8 内の第３ガイドローラ17c,17e を蹴り出す第４ガイド部材21とを設け、前者側部ガイドレール6 、蹴り出しガイド部49及び蹴り込みガイド部50を第２ガイドローラ22と第２ガイド部材19との間に配置したものである。
【０００６】
【発明の実施の形態】
以下、本発明の実施形態を図面に基づいて詳述する。
図１乃至図２０は車庫用の懸架型の折り畳み式伸縮扉に採用した本発明の第１の実施形態を例示する。
図１乃至図３において、１  は吊り元側支柱、２  は戸当たり側支柱で、これら吊り元側支柱１  及び戸当たり側支柱２  は出入口の左右両側で地面３  に垂直に立設されている。
４  は上枠で、吊り元側支柱１  と戸当たり側支柱２  の上端間に水平に架設されている。この上枠４  の下側には、吊り元側支柱１  と戸当たり側支柱２  間の全長に亘って主ガイドレール５  が装着されると共に、この主ガイドレール５  の車庫内側に側部ガイドレール６，８  が、車庫外側に化粧カバー９  が夫々左右方向に装着されている。
【０００７】
１０は伸縮扉本体で、左右方向に６枚の扉単体１１ａ  〜１１ｆ  と、この各扉単体１１ａ  〜１１ｆ  を交互に折り畳み自在に結合する５組のヒンジ１２ａ  〜１２ｅ  とを備え、主ガイドレール５  に沿って走行する走行手段１３ａ，１３ｂ，１３ｄ，１３ｆ  を介して上枠４  側に懸架されている。走行手段１３ａ，１３ｂ，１３ｄ，１３ｆ  は、伸縮扉本体１０の吊り元側端及び戸当たり側端に夫々設けられると共に、その吊り元側から第３番目（以下に言う第何番目、偶数番目及び奇数番目は、全て吊り元側からとする。）及び第５番目のヒンジ１２ｂ，１２ｄ  の近傍に設けられている。各ヒンジ１２ａ  〜１２ｅ  は吊り元側から戸当たり側へと伸縮扉本体１０の内外両側に交互に配置されている。
なお、伸縮扉本体１０には、閉鎖状態での内外方向へのガタツキを防止するための落とし棒１４が第３番目及び第５番目のヒンジ１２ａ  〜１２ｅ  の近傍に設けられ、また戸当たり端側に開閉操作用の把手１５と施錠手段とが設けられている。
【０００８】
６枚の扉単体１１ａ  〜１１ｆ  の内、奇数番目の扉単体１１ａ，１１ｃ，１１ｅ  の上側には、その吊り元側近傍に第１ガイドローラ１６ａ，１６ｃ，１６ｅ  が、戸当たり側に第３ガイドローラ１７ａ，１７ｃ，１７ｅ  が夫々設けられている。また主ガイドレール５  の車庫内側には、その吊り元側から戸当たり側に向かって第１ガイド部材１８と第２ガイド部材１９と第３ガイド部材２０と第４ガイド部材２１と第２ガイドローラ２２とが順次装着されている。
【０００９】
なお、吊り元側から第１番目の扉単体１１ａ  の第３ガイドローラ１７ａ  と、第３ガイド部材２０とによって折り畳み手段が構成され、伸縮扉本体１０を吊り元側へと移動させたときに、各扉単体１１ａ  〜１１ｆ  を吊り元側から順次所定の小範囲Ｍ  内で折り畳むようになっている。また第３ガイドローラ１７ａ  と側部ガイドレール６  とによってロック手段が構成され、伸長状態での第１番目と第２番目の扉単体１１ａ，１１ｂ  の折曲を規制するようになっている。各第３ガイドローラ１７ｃ，１７ｅ  と側部ガイドレール８  とによって折曲規制手段が構成され、前記小範囲Ｍ  以外での扉単体１１ｃ  〜１１ｆ  の折曲を規制するようになっている。更に第１ガイドローラ１６ａ，１６ｃ，１６ｅ  と第１ガイド部材１８、第２ガイド部材１９及び第２ガイドローラ２２とによって伸長案内手段が構成され、伸縮扉本体１０を戸当たり側に移動させたときに各扉単体１１ａ  〜１１ｆ  を戸当たり側から順次伸長させるようになっている。
【００１０】
各扉単体１１ａ  〜１１ｆ  は、左右一対の縦枠材２３と上下一対の横枠材２４と格子状等の扉面材２５とにより構成されている。主ガイドレール５  は図８に示すように、一対のローラ受け部２６を有し、そのローラ受け部２６間が溝状になっている。
走行手段１３ａ，１３ｂ，１３ｄ，１３ｆ  は、図４及び図５に示すように、下部が主ガイドレール５  のローラ受け部２６間に移動自在に嵌合する支持台２７と、この支持台２７の両端に挿入された２本の支軸２８と、支持台２７の両側で各支軸２８の両端部に回転自在に套嵌された４個のハンガーローラ２９とから構成され、その各ハンガーローラ２９が主ガイドレール５  のローラ受け部２６上を転動して走行するようになっている。支持台２７には支軸２８間の中央に縦軸３０が回動自在に挿入され、この縦軸３０の下端側が扉単体１１ａ，１１ｂ，１１ｄ，１１ｆ  の縦枠材２３に上下調整可能に固定されている。
【００１１】
ヒンジ１２ａ  〜１２ｅ  は、図６及び図７に示すように、一対のヒンジブラケット３１に一体に形成されたヒンジ筒部３２と、このヒンジ筒部３２に挿入されたヒンジ軸３３とを有し、各ヒンジブラケット３１が各扉単体１１ａ  〜１１ｆ  の相対向する端面側で縦枠材２３にネジ３４等により固定されている。そして、このヒンジ１２ａ  〜１２ｅ  は、吊り元側から奇数番目が車庫内側となり、偶数番目が車庫外側となるように、伸縮扉本体１０の内外に交互に配置されている。
【００１２】
第１ガイドローラ１６ａ，１６ｃ，１６ｅ  は、図４及び図５に示すように、奇数番目の扉単体１１ａ，１１ｃ，１１ｅ  の吊り元側の近傍で且つ走行手段１３ａ，１３ｂ，１３ｄ，１３ｆ  の縦軸３０から戸当たり側に若干離れた位置に配置されており、伸縮扉本体１０を折り畳んだときに、主ガイドレール５  から側方に突出するようになっている。そして、この第１ガイドローラ１６ａ，１６ｃ，１６ｅ  は、扉単体１１ａ，１１ｃ，１１ｅ  の上側の横枠材２４にその幅方向の中央で支軸３６により縦軸心廻りに回転自在に枢支されている。
なお、第１ガイドローラ１６ａ，１６ｃ，１６ｅ  は、主ガイドレール５  の下側に入るようにその下端よりも低くなっている。
【００１３】
第３ガイドローラ１７ａ，１７ｃ，１７ｅ  は、図６乃至図８に示すように、奇数番目の扉単体１１ａ，１１ｃ，１１ｅ  の戸当たり側において、その奇数番目のヒンジ１２ａ，１２ｃ，１２ｅ  の近傍で且つ伸縮扉本体１０から車庫内側に偏位して配置されている。そして、この第３ガイドローラ１７ａ，１７ｃ，１７ｅ  は、扉単体１１ａ，１１ｃ，１１ｅ  から側方に突出する支持アーム３７の先端に支軸３８により縦軸心廻りに回転自在に支持され、また支持アーム３７はＬ字状の取り付け部３９を有し、その取り付け部３９が扉単体１１ａ，１１ｃ，１１ｅ  の縦枠材２３の上面及び側面にボルト４０等で固定されている。
【００１４】
第１番目の扉単体１１ａ  には、その吊り元側端の上側に走行手段１３ａ  が、下側に枢軸４１が設けられている。枢軸４１は、図９及び図１０に示すように、走行手段１３ａ  の縦軸３０と同一軸心上で扉単体１１ａ  の下側に突出し、吊り元側支柱１  の固定板４２に形成された長孔４３に挿入されている。従って、第１番目の扉単体１１ａ  は、長孔４３の範囲内で主ガイドレール５  及び長孔４３に沿って移動自在でり、また縦軸３０及び枢軸４１廻りに回動自在である。
なお、伸縮扉本体１０が固定板４２の長孔４３の範囲内で戸当たり側へ移動したときに、吊り元側支柱１  と第１番目の扉単体１１ａ  との間にできる隙間を車庫外側から覆うように、吊り元側支柱１  の車庫内側に帯状の端部カバー４４が上下方向に設けられている。
【００１５】
側部ガイドレール６，８  は伸縮扉本体１０を伸長状態にしたときに、各扉単体１１ａ  〜１１ｆ  が折曲しないように規制するためのものであって、図３の（Ａ）及び（Ｂ）に示すように、第１番目の扉単体１１ａ  の第３ガイドローラ１７ａ  用と、第３番目及び第５番目の扉単体１１ｃ，１１ｅ  の第３ガイドローラ１７ｃ，１７ｅ  用とに分かれており、その前者は第３ガイド部材２０に一体に設けられ、後者は第２ガイドローラ２２の近傍から戸当たり側で主ガイドレール５  に沿って配置されている。
【００１６】
第１ガイド部材１８及び第２ガイド部材１９は、伸縮扉本体１０を伸長させるときに、第１ガイドローラ１６ａ，１６ｃ，１６ｅ  の戸当たり側への移動を規制するためのもので、図１１及び図１２に示すように、円弧状に湾曲するガイド部４５，４６  と、上枠４  の角部に対応するＬ字状の取り付け部４７，４８  とを一体に備え、その取り付け部４７，４８  が上枠４  にネジ等で固定されている。
【００１７】
第１ガイド部材１８は、そのガイド部４５で第１番目の扉単体１１ａ  の第１ガイドローラ１６ａ  を主ガイドレール５  側に案内するように、吊り元側支柱１  に近接して配置されている。また第２ガイド部材１９は、そのガイド部４６で第３番目及び第５番目の扉単体１１ｃ，１１ｅ  の第１ガイドローラ１６ｃ，１６ｅ  を主ガイドレール５  側に案内するように、吊り元側支柱１  から所定の間隔をおいて配置されている。
なお、この第１ガイド部材１８と第２ガイド部材１９は、同一物を兼用できるように同一構造になっている。
【００１８】
第３ガイド部材２０は、伸縮扉本体１０を伸長させたときの第１番目の扉単体１１ａ  の第３ガイドローラ１７ａ  に対応させて主ガイドレール５  の車庫内側に配置されている。この第３ガイド部材２０は、図１３及び図１４に示すように、側部ガイドレール６  と、伸縮扉本体１０を折り畳むときに第１番目の扉単体１１ａ  の第３ガイドローラ１７ａ  を車庫内側へ蹴り出す蹴り出しガイド部４９と、伸縮扉本体１０を伸長させるときに第３ガイドローラ１７ａ  を車庫内側から側部ガイドレール６  側に蹴り込む蹴り込みガイド部５０と、上枠４  の角部に対応するＬ字状の取り付け部５１とを一体に備え、その取り付け部５１が上枠４  にネジ等で固定されている。
【００１９】
第４ガイド部材２１は、図１３及び図１４に示すように、伸縮扉本体１０を折り畳むときに、その第３番目及び第５番目の扉単体１１ｃ，１１ｅ  の第３ガイドローラ１７ｃ，１７ｅ  を車庫内側へ蹴り出すためのもので、側部ガイドレール８  の延長上で第３ガイド部材２０と第２ガイドローラ２２との間に配置され、上枠４  の下側で主ガイドレール５  に沿って固定されている。なお、この第４ガイド部材２１と第３ガイド部材２０との間には、両者を連結するように連結板５２が設けられている。
【００２０】
第２ガイドローラ２２は、小範囲Ｍ  内で第４番目及び第６番目の扉単体１１ｄ，１１ｆ  の移動を規制してこの扉単体１１ｄ，１１ｆ  を伸長方向に案内するためのものである。そして、この第２ガイドローラ２２は、図１５乃至図１７に示す如く、扉単体１１ｄ，１１ｆ  の上側の横枠材２４に車庫内側から当接するように、ガイドブラケット５３に支軸５４を介して縦軸心廻りに回転自在に軸支されている。
ガイドブラケット５３は、第３番目及び第５番目の扉単体１１ｄ，１１ｆ  の第３ガイドローラ１７ｃ，１７ｅ  を側部ガイドレール８  に案内する側部ガイド部５５と、上枠４  の角部に対応するＬ字状の取り付け部５６とを一体に備え、その側部ガイド部５５が側部ガイドレール８  に当接するように、取り付け部５６が上枠４  にネジ等で固定されている。
【００２１】
次にこの折り畳み式伸縮扉における開閉操作時の動作を説明する。伸縮扉本体10が閉鎖状態のときには、図１及び図２に示すように各扉単体11a 〜11f が一直線状に伸展しており、戸当たり側端の扉単体11f を施錠手段で戸当たり側支柱2 側に施錠し、また落とし棒14を地面3 側の落とし孔に落とし込んでおく。
この閉鎖状態から伸縮扉本体10を折り畳んで出入口を開放するときには、各落とし棒14を外し、施錠を解除した後、把手15を把持して伸縮扉本体10を吊り元側へと図１、図２のａ矢示方向へと移動させる。すると伸縮扉本体10が伸長状態のままで長孔43の範囲だけ吊り元側に移動する間に、先ず第１番目の扉単体11a の第３ガイドローラ17a が側部ガイドレール6 から外れて第３ガイド部材20の蹴り出しガイド部49に当接する。
【００２２】
そして、更に伸縮扉本体１０全体を吊り元側へ移動させて行けば、その第３ガイドローラ１７ａ  が蹴り出しガイド部４９により図１３のｂ矢示方向に案内されて車庫内側へと蹴り出されるため、第１番目のヒンジ１２ａ  が車庫内側に突出するように、第１番目の扉単体１１ａ  と第２番目の扉単体１１ｂ  とが略平行状態に折曲するまで折り畳まれて行く。このとき、第１番目の扉単体１１ａ  の枢軸４１は固定板４２の長孔４３の吊り元側端部に当接しており、この第１番目の扉単体１１ａ  はそれ以上吊り元側へは移動しない。
【００２３】
続けて伸縮扉本体１０の戸当たり側をａ矢示方向に押せば、第１番目の扉単体１１ａ  と第２番目の扉単体１１ｂ  の折り畳みに伴って後続の各扉単体１１ｃ  〜１１ｆ  が吊り元側へと移動し、第３番目及び第５番目の扉単体１１ｃ，１１ｅ  の各第３ガイドローラ１７ｃ，１７ｅ  が側部ガイドレール８  から外れて小範囲Ｍ  内へと入って行く。そして、第１番目の扉単体１１ａ  と第２番目の扉単体１１ｂ  が略平行になると、第３番目の扉単体１１ｃ  と第４番目の扉単体１１ｄ  とが車庫内側に折曲する。
【００２４】
以下、同様にして後続の各扉単体１１ｅ，１１ｆ  も順次折曲し、各扉単体１１ａ  〜１１ｆ  が吊り元側から順次ジグザク状に折り畳まれた状態となる。
この各扉単体１１ａ  〜１１ｆ  を折り畳むときに、第４ガイド部材２１が第３番目、第５番目の扉単体１１ｃ，１１ｅ  の第３ガイドローラ１７ｃ，１７ｅ  を車庫内側へと蹴り出して、各扉単体１１ａ  〜１１ｆ  が折り畳み易くなるように補助する。
なお、伸縮扉本体１０の各扉単体１１ａ  〜１１ｆ  は、折り畳み状態では図１１に仮想線で示すように、吊り元側支柱１  の近傍で主ガイドレール５  から車庫内側に略平行に突出した状態になる。
【００２５】
出入口を伸縮扉本体１０で閉鎖するときには、把手３３を把持して第６番目の扉単体１１ｆ  を戸当たり側へと図１８のｃ矢示方向に引っ張る。すると各走行手段１３ａ，１３ｂ，１３ｄ，１３ｆ  が主ガイドレール５  に支持案内されて戸当たり側へと走行するので、折り畳み状態の各扉単体１１ａ  〜１１ｆ  が戸当たり側畳み状態から順次伸長して行く。
【００２６】
この場合には、先ず最初に第６番目の扉単体１１ｆ  の走行手段１３ｆ  が主ガイドレール５  に沿って戸当たり側に移動する。しかし、図１８に示すように第５番目の扉単体１１ｅ  の第１ガイドローラ１６ｅ  が第２ガイド部材１９によって案内されて戸当たり側への移動が規制されるので、把手１５を急激にｃ矢示方向に操作しても第４番目の扉単体１１ｄ  の上側の走行手段１３ｄ  は停止した状態のままである。
【００２７】
このため第５番目の扉単体１１ｅ  が第４番目のヒンジ１２ｄ  廻りに主ガイドレール５  側にｄ矢示方向に回動して、この第５番目の扉単体１１ｅ  と第６番目の扉単体１１ｆ  が図１８のＡ１，Ａ２  の各状態を経て伸長する。そして、第６番目の扉単体１１ｆ  がＡ３  の状態まで伸長すると、その扉単体１１ｆ  の上側の横枠材２４が第２ガイドローラ２２に当接して戸当たり側への移動が規制される。
【００２８】
そして、把手１５を更に戸当たり側へと引っ張ると、第６番目の扉単体１１ｆ  が第２ガイドローラ２２により相対的に主ガイドレール５  側に押されて、第５番目の扉単体１１ｅ  と第６番目の扉単体１１ｆ  がＡ３  の状態から更に伸長するため、小範囲Ｍ  内で両扉単体１１ｅ，１１ｆ  を円滑且つ確実に伸長できる。
第５番目の扉単体１１ｅ  と第６番目の扉単体１１ｆ  が伸長すると、第５番目の扉単体１１ｅ  の第３ガイドローラ１７ｅ  が第４ガイド部材２１と第２ガイドローラ２２のガイドブラケット５３との間から主ガイドレール５  の側面に当接して側部ガイドレール８  側へと進入して行く。
【００２９】
一方、第５番目の扉単体１１ｅ  と第６番目の扉単体１１ｆ  が伸長すると、第４番目の扉単体１１ｄ  の上側の走行手段１３ｄ  が主ガイドレール５  に沿って戸当たり側へと走行し始めるので、図１９に示すように第３番目の扉単体１１ｃ  と第４番目の扉単体１１ｄ  とがＢ１  の状態からＢ２  の状態を経て順次伸長し、第３番目の扉単体１１ｃ  の第３ガイドローラ１７ｃ  が側部ガイドレール８  側へと進入して行く。
【００３０】
このとき、第２番目の扉単体１１ｂ  の上側の走行手段１３ｂ  は、通常の操作では主ガイドレール５  に沿って戸当たり側に全く移動しない。このため第３番目の扉単体１１ｃ  の第１ガイドローラ１６ｃ  は第２ガイド部材１９に当接しない。そして、第３番目の扉単体１１ｃ  と第４番目の扉単体１１ｄ  が第２ガイドローラ２２よりも吊り元側で伸長状態になるため、その第４番目の扉単体１１ｄ  が第２ガイドローラ２２に案内されることもない。
【００３１】
把手１５を急激に戸当たり側へと操作したときには、第３番目の扉単体１１ｃ  と第４番目の扉単体１１ｄ  とが十分に伸長する前の時点で、その衝撃によって図２０に示すように第２番目の扉単体１１ｂ  の上側の走行手段１３ｂ  が主ガイドレール５  に沿って戸当たり側へとｃ矢示方向に移動して、第１番目の扉単体１１ａ  と第２番目の扉単体１１ｂ  とを伸長させながら、第３番目の扉単体１１ｃ  と第４番目の扉単体１１ｄ  とが伸長することになる。
【００３２】
しかし、このときには第３番目の扉単体１１ｃ  の第１ガイドローラ１６ｃ  が、図２０に示すように第２ガイド部材１９に当接して案内されるので、第２番目の扉単体１１ｂ  の上側の走行手段１３ｂ  は、その位置で移動しなくなる。このため第３番目の扉単体１１ｃ  と第４番目の扉単体１１ｄ  は、図２０のＣ１，Ｃ２  の状態を経て伸長することになる。
【００３３】
そして、第３番目の扉単体１１ｃ  と第４番目の扉単体１１ｄ  がＣ３  の状態まで伸長したときに、その第４番目の扉単体１１ｄ  が第２ガイドローラ２２に当接して、この第２ガイドローラ２２によって戸当たり側への移動が規制されて相対的に主ガイドレール５  側へと押されるため、この第２ガイドローラ２２により第４番目の扉単体１１ｄ  が案内されながら、第３番目の扉単体１１ｃ  と第４番目の扉単体１１ｄ  がＣ４  の状態を経て順次伸長する。
【００３４】
従って、不用意に操作して第２番目の扉単体１１ｂ  の上側の走行手段１３ｂ  が戸当たり側へと移動するようなことがあっても、その移動を第１ガイドローラ１６ｃ  と第２ガイド部材１９とで規制しながら、第３番目の扉単体１１ｃ  と第４番目の扉単体１１ｄ  とを小範囲Ｍ  内で第２ガイドローラ２２によって円滑かつ確実に無理なく伸長できる。
【００３５】
第３番目の扉単体１１ｃ  と第４番目の扉単体１１ｄ  とが伸長すると、図２０に示すように、第１番目の扉単体１１ａ  の第１ガイドローラ１６ａ  が第１ガイド部材１８によって案内され、第１番目の扉単体１１ａ  の走行手段１３ａ  が戸当たり側へと移動しないので、第１番目の扉単体１１ａ  が走行手段１３ａ  の縦軸３０及び枢軸４１を支点として主ガイドレール５  側に回動しながら、この第１番目の扉単体１１ａ  と第２番目の扉単体１１ｂ  とが伸長して行く。このとき、第１番目の扉単体１１ａ  の第３ガイドローラ１７ａ  は、第３ガイド部材２０の蹴り込みガイド部５０に案内されて主ガイドレール５  側に移動する。
【００３６】
第１番目の扉単体１１ａ  と第２番目の扉単体１１ｂ  とが直線状に伸長して第１番目の扉単体１１ａ  の第１ガイドローラ１６ａ  が第１ガイド部材１８から外れると、固定板４２の長孔４３の範囲内で枢軸４１が戸当たり側に摺動し、伸縮扉本体１０がその長孔４３分だけ戸当たり側へと移動するため、第１番目の扉単体１１ａ  の第３ガイドローラ１７ａ  が第３ガイド部材２０側の側部ガイドレール６  内に進入する。
これによって伸縮扉本体１０の各扉単体１１ａ  〜１１ｆ  は、主ガイドレール５  に沿って一直線状に伸長して出入口を閉鎖し、内外方向に折曲しないようにロックされる。
【００３７】
この実施形態では、奇数番目の各扉単体１１ａ，１１ｃ，１１ｅ  上に第１ガイドローラ１６ａ，１６ｃ，１６ｅ  を設ける一方、主ガイドレール５  の側方に第１ガイド部材１８、第２ガイド部材１９及び第２ガイドローラ２２を設けているので、湾曲張り出し部を備えた従来の場合に比較して、ガイド部材１８，１９  及び第２ガイドローラ２２を含む全体構造を小型化できると共に、外観上の見栄えを良好にできる。
またガイド部材１８，１９  を小型化できるので、長期間に亘って使用した場合にも、ガイド部材１８，１９  が垂れ下がったり、他の部材との接触によって簡単に変形したりすることがなく、伸縮扉本体１０を容易且つ円滑に開閉操作できる。
【００３８】
特に第１ガイドローラ１６ａ，１６ｃ，１６ｅ  が奇数番目の扉単体１１ａ，１１ｃ，１１ｅ  の吊り元側近傍にあるため、第１ガイド部材１８及び第２ガイド部材１９をより小型化できる。しかも、第１ガイドローラ１６ａ，１６ｃ，１６ｅ  が走行手段１３ａ，１３ｂ，１３ｄ，１３ｆ  の縦軸３０から戸当たり側に若干離れているため、第１ガイドローラ１６ａ，１６ｃ，１６ｅ  を第１ガイド部材１８及び第２ガイド部材１９に対して確実に係脱でき、伸縮扉本体１０を伸長するときに、各ガイド部材１８，１９  によって各第１ガイドローラ１６ａ，１６ｃ，１６ｅ  の移動を確実に規制できる。
【００３９】
更に第２ガイドローラ２２で第４番目及び第６番目の扉単体１１ｄ，１１ｆ  を伸長方向に案内するようにしているので、第３番目から第６番目の各扉単体１１ｄ  〜１１ｆ  を所定の小範囲Ｍ  内で強制的に伸長でき、第３ガイドローラ１７ｃ，１７ｅ  を側部ガイドレール８  側に確実に案内できる。
【００４０】
なお、伸縮扉本体１０を懸架状態に組み立てる場合には、次のように行う。伸縮扉本体１０を構成する６枚の扉単体１１ａ  〜１１ｆ  の内、吊り元側から第１番目、第２番目、第４番目及び第６番目の各扉単体１１ａ，１１ｂ，１１ｄ，１１ｆ  には、その上側に走行手段１３ａ，１３ｂ，１３ｄ，１３ｆ  が夫々あるので、これらの扉単体１１ａ，１１ｂ，１１ｄ，１１ｆ  を個々に分離した状態でその走行手段１３ａ，１３ｂ，１３ｄ，１３ｆ  を介して主ガイドレール５  に懸架し、この各扉単体１１ａ，１１ｂ，１１ｄ，１１ｆ  に第３番目、第５番目の扉単体１１ｃ，１１ｅ  を順次あてがいながら、６枚の扉単体１１ａ  〜１１ｆ  をヒンジ１２ａ  〜１２ｅ  で結合することにより組み立てて行く。
【００４１】
例えば、第１番目の扉単体１１ａ  は、その走行手段１３ａ  を介して主ガイドレール５  に懸架すると共に、下側の枢軸４１を固定板４２の長孔４３に挿入する。そして、この第１番目の扉単体１１ａ  を略垂直にした状態で、走行手段１３ｂ  を介して主ガイドレール５  に懸架された第２番目の扉単体１１ｂ  の吊り元側を第１番目の扉単体１１ａ  の戸当たり側に突き合わせて、両者のヒンジブラケット３１のヒンジ筒部３２同士の軸心を上下方向に合わせた後、そのヒンジ筒部３２にヒンジ軸３３を挿入してヒンジ結合する。
【００４２】
そして、第２番目の扉単体１１ｂ  を第１番目の扉単体１１ａ  にヒンジ結合できれば、次に第３番目の扉単体１１ｃ  の吊り元側を第２番目の扉単体１１ｂ  の戸当たり側に突き合わせて、前述と同様にしてヒンジ１２ｂ  により両者扉単体１１ｂ，１１ｃをヒンジ結合する。以下、同様にして各扉単体１１ａ  〜１１ｆ  を順次ヒンジ１２ｃ，１２ｅ  結合して行く。
従って、このようなヒンジ１２ａ，１２ｃ，１２ｅ  構造を採用すれば、予め各扉単体１１ａ  〜１１ｆ  を結合して伸縮扉本体１０側を組み立てた後に、その伸縮扉本体１０の各走行手段１３ａ，１３ｂ，１３ｄ，１３ｆ  を主ガイドレール５  に嵌め込んで懸架する場合に比較して作業が非常に容易であり、設置現場での施工時に少人数で容易に作業を行うことができる。
【００４３】
図２１は本発明の第２の実施形態を例示し、隣り合う扉単体１１ａ  〜１１ｆ  をヒンジ部材６０を有するヒンジ１２ａ  〜１２ｅ  により折曲自在に連結したものである。各扉単体１１ａ  〜１１ｅ  の縦枠材２３の対向端側には、その一対の側壁部６１，６２  間に軸受け部６３が設けられている。ヒンジ部材６０は、隣り合う扉単体１１ａ  〜１１ｅ  の縦枠材２３間に上下方向に配置され、このヒンジ部材６０には、縦枠材２３の軸受け部６３に縦軸心廻りに回動自在に嵌合する軸部６４と、この軸部６４を中心として円弧状に形成され且つ縦枠材２３の側壁部６１，６２  の内側に入る一対の湾曲部６５，６６  とが設けられている。
【００４４】
なお、この場合には吊り元側から奇数番目のヒンジ１２ａ，１２ｃ，１２ｅ  のヒンジ部材６０の上端側に第３ガイドローラ１７ａ，１７ｃ，１７ｅ  が設けられ、伸縮扉本体１０の両端部と偶数番目のヒンジ１２ｂ，１２ｄ  のヒンジ部材６０とに走行手段１３ａ，１３ｂ，１３ｄ，１３ｆ  が設けられている。
この実施形態では、伸縮扉本体１０を折り畳むときに、各扉単体１１ａ  〜１１ｆ  が仮想線で示すようにヒンジ部材６０の両側の軸受け部６３と軸部６４との部分で相対的に回動して、そのヒンジ部材６０の両側の２点で折曲する。
この場合にも、前述と同様に実施することが可能である。
【００４５】
以上、本発明の各実施形態について詳述したが、本発明は実施形態に限定されるものではない。
例えば、第１ガイドローラ１６ａ，１６ｃ，１６ｅ  は、伸縮扉本体１０を折り畳んだときに、少なくともその一部が主ガイドレール５  の側方に突出する位置に配置すれば良い。
また第３ガイドローラ１７ａ，１７ｃ，１７ｅ  は奇数番目のヒンジ１２ａ，１２ｃ，１２ｅ  の近傍にあれば良い。
更に実施形態では車庫の出入口用の伸縮扉を例示したが、車庫の出入口用以外でも同様に実施できる。
また伸縮扉本体１０を構成する扉単体は、奇数枚、偶数枚の何れでも良い。
【００４６】
【発明の効果】
本発明によれば、多数枚の扉単体11a 〜11f を交互に折り畳み自在にヒンジ12a 〜12e 結合した伸縮扉本体10を、その吊り元側端及び戸当たり側端と中間の吊り元側から偶数番目のヒンジ12b,12d とに設けられ且つ主ガイドレール5 に沿って走行する走行手段13a,13b,13d,13f を介して懸架し、折り畳み時に各扉単体11a 〜11f を吊り元側に移動させて吊り元側から順次所定の小範囲M 内で折り畳み、伸長時に小範囲M 内で各扉単体11a 〜11f を戸当たり側から順次伸長させるようにした折り畳み式伸縮扉において、吊り元側から奇数番目の各扉単体11a,11c,11e 上の吊り元側に第１ガイドローラ16a,16c,16e を、吊り元側から奇数番目の各ヒンジ12a,12c,12e 又はその近傍に第３ガイドローラ17a,17c,17e を夫々設け、主ガイドレール5 の側部に、伸長時に折り畳み状態の吊り元側から第１番目の扉単体11a の第１ガイドローラ16a の戸当たり側への移動を規制する第１ガイド部材18と、伸長時に小範囲M 内で吊り元側から第２番目以外の偶数番目の扉単体11d,11f を伸長方向に案内可能な第２ガイドローラ22と、該第２ガイドローラ22に扉単体11d,11f が案内されるときに、該扉単体11d,11f よりも吊り元側に隣接する奇数番目の扉単体11c,11e の第１ガイドローラ16c,16e の戸当たり側への移動を規制する第２ガイド部材19と、伸長状態の各扉単体11a,11c,11e が屈曲しないように、吊り元側から第１番目の第３ガイドローラ17a を案内する側部ガイドレール6 及び吊り元側から第１番目以外の第３ガイドローラ17c,17e を案内する側部ガイドレール8 と、折り畳み時に前者側部ガイドレール6 内の第３ガイドローラ17a を蹴り出す蹴り出しガイド部49と、伸長時に吊り元側から第１番目の第３ガイドローラ17a を前者側部ガイドレール6 内に蹴り込む蹴り込みガイド部50と、折り畳み時に後者側部ガイドレール8 内の第３ガイドローラ17c,17e を蹴り出す第４ガイド部材21とを設け、前者側部ガイドレール6 、蹴り出しガイド部49及び蹴り込みガイド部50を第２ガイドローラ22と第２ガイド部材19との間に配置しているので、全体を小型化できると共に、伸縮扉本体10を長期に亘って円滑に開閉操作でき、しかも小型化により全体の見栄えを良好にできる。
【図面の簡単な説明】
【図１】本発明の第１の実施形態を示す折り畳み式伸縮扉の正面図である。
【図２】本発明の第１の実施形態を示す折り畳み式伸縮扉の平面図である。
【図３】（Ａ）は本発明の第１の実施形態を示す主ガイドレールの吊り元側の平面図、（Ｂ）はその正面図である。
【図４】本発明の第１の実施形態を示す走行手段側の平面断面図である。
【図５】本発明の第１の実施形態を示す走行手段側の正面断面図である。
【図６】本発明の第１の実施形態を示すヒンジ及び第３ガイドローラ側の平面断面図である。
【図７】本発明の第１の実施形態を示すヒンジ及び第３ガイドローラ側の背面断面図である。
【図８】図３の（Ａ）のＸ−Ｘ線拡大断面図である。
【図９】本発明の第１の実施形態を示す吊り元側の平面断面図である。
【図１０】本発明の第１の実施形態を示す吊り元側の正面断面図である。
【図１１】本発明の第１の実施形態を示す第１及び第２ガイド部材側の一部切り欠き平面図である。
【図１２】図１１のＹ−Ｙ線断面図である。
【図１３】本発明の第１の実施形態を示す第３及び第４ガイド部材側の一部切り欠き平面図である。
【図１４】本発明の第１の実施形態を示す第３及び第４ガイド部材側の一部切り欠き正面図である。
【図１５】本発明の第１の実施形態を示す第２ガイドローラ側の一部切り欠き平面図である。
【図１６】本発明の第１の実施形態を示す第２ガイドローラ側の一部切り欠き正面図である。
【図１７】図１５のＺ−Ｚ線断面図である。
【図１８】本発明の第１の実施形態を示す伸長時の動作説明図である。
【図１９】本発明の第１の実施形態を示す伸長時の動作説明図である。
【図２０】本発明の第１の実施形態を示す伸長時の動作説明図である。
【図２１】本発明の第２の実施形態を示すヒンジ側の平面断面図である。
【符号の説明】
５      主ガイドレール
６，８      側部ガイドレール
１０    伸縮扉本体
１１ａ  〜１１ｆ      扉単体
１２ａ  〜１２ｅ      ヒンジ
１３ａ，１３ｂ，１３ｄ，１３ｆ      走行手段
１６ａ，１６ｃ，１６ｅ      第１ガイドローラ
１７ａ，１７ｃ，１７ｅ      第３ガイドローラ
１８    第１ガイド部材
１９    第２ガイド部材
２２    第２ガイドローラ
Ｍ      小範囲
【図１】
0003610558.tif 000002
【図２】
0003610558.tif 000003
【図３】
0003610558.tif 000004
【図４】
0003610558.tif 000005
【図５】
0003610558.tif 000006
【図６】
0003610558.tif 000007
【図７】
0003610558.tif 000008
【図８】
0003610558.tif 000009
【図１２】
0003610558.tif 000010
【図９】
0003610558.tif 000011
【図１０】
0003610558.tif 000012
【図１１】
0003610558.tif 000013
【図１３】
0003610558.tif 000014
【図１４】
0003610558.tif 000015
【図１５】
0003610558.tif 000016
【図１６】
0003610558.tif 000017
【図１７】
0003610558.tif 000018
【図１８】
0003610558.tif 000019
【図１９】
0003610558.tif 000020
【図２０】
0003610558.tif 000021
【図２１】
0003610558.tif 000022